(57)【要約】【課題】より安価に、且つ、より容易に、有効な操作ボタンを判別できるリモコンシステムを提供する。【解決手段】ＤＶＤプレイヤ１に、当該ＤＶＤプレイヤ１の動作状態と、当該動作状態において有効に機能する操作ボタン２４１に関する有効ボタン情報とを対応付けて記憶するボタンデータファイル１９Ａと、ＣＰＵ１７に、当該ＤＶＤプレイヤ１の動作状態に基づいて、有効ボタン情報をボタンデータファイル１９Ａから抽出させる抽出プログラム１９Ｂと、有効ボタン情報をリモコン２に送信させる通知プログラム１９Ｃと、を備え、操作ボタン２４１を点灯させる点灯部２４２と、リモコン２に、ＤＶＤプレイヤ１から送信される有効ボタン情報を受信する受信部２１と、ＣＰＵ２７に、受信部２１により受信された有効ボタン情報に従って、有効に機能する操作ボタン２４１が点灯するように点灯部２４２を制御させる点灯制御プログラム２９Ｃと、を備えた。【選択図】図１
2008167005.tif 000002
【特許請求の範囲】
【請求項１】
電子機器と、前記電子機器を遠隔制御するリモコンと、を備えるリモコンシステムにおいて、
前記電子機器は、
当該電子機器の動作状態と、当該動作状態において前記リモコンに備えられた操作ボタンのうち有効に機能する操作ボタンに関する有効ボタン情報とを対応付けて記憶する記憶手段と、
当該電子機器の動作状態に基づいて、前記記憶手段から当該動作状態に対応する前記有効ボタン情報を抽出する抽出手段と、
前記抽出手段により抽出された有効ボタン情報を前記リモコンに送信する有効ボタン情報送信手段と、
を備え、
前記リモコンは、
前記操作ボタンを点灯させる点灯部と、
前記電子機器から送信される有効ボタン情報を受信する有効ボタン情報受信手段と、
前記有効ボタン情報受信手段により受信された有効ボタン情報に従って、有効に機能する操作ボタンが点灯するように前記点灯部を制御する点灯制御手段と、
当該リモコンの振動を検知する振動検知手段と、
前記振動検知手段により、当該リモコンの振動が検知された場合に、前記電子機器に有効ボタン情報の送信を要求する有効ボタン情報要求信号を送信する要求送信手段と、
前記振動検知手段により、当該リモコンの振動が検知されなくなってからの時間を計時する計時手段と、
を備え、
前記電子機器は、
前記要求送信手段により送信された前記有効ボタン情報要求信号を受信する要求受信手段を備え、
前記要求送信手段は、所定時間毎に前記電子機器に有効ボタン情報要求信号を送信し、
前記抽出手段は、前記要求受信手段により前記有効ボタン情報要求信号を受信した際に、当該電子機器の動作状態に基づいて、前記有効ボタン情報を前記記憶手段から抽出し、
前記点灯制御手段は、前記電子機器から送信された有効ボタン情報が更新されているか否かを判断し、更新されていると判断した場合に、更新された有効ボタン情報に基づいて有効に機能する操作ボタンが点灯するように前記点灯部を制御するとともに、前記計時手段により計時された時間が所定時間以上となった場合に、前記操作ボタンを消灯させるように前記点灯部を制御することを特徴とするリモコンシステム。
【請求項２】
電子機器と、前記電子機器を遠隔制御するリモコンと、を備えるリモコンシステムにおいて、
前記電子機器は、
当該電子機器の動作状態と、当該動作状態において前記リモコンに備えられた操作ボタンのうち有効に機能する操作ボタンに関する有効ボタン情報とを対応付けて記憶する記憶手段と、
当該電子機器の動作状態に基づいて、前記記憶手段から当該動作状態に対応する前記有効ボタン情報を抽出する抽出手段と、
前記抽出手段により抽出された有効ボタン情報を前記リモコンに送信する有効ボタン情報送信手段と、
を備え、
前記リモコンは、
前記操作ボタンを点灯させる点灯部と、
前記電子機器から送信される有効ボタン情報を受信する有効ボタン情報受信手段と、
前記有効ボタン情報受信手段により受信された有効ボタン情報に従って、有効に機能する操作ボタンが点灯するように前記点灯部を制御する点灯制御手段と、
を備えることを特徴とするリモコンシステム。
【請求項３】
前記リモコンは、
当該リモコンの振動を検知する振動検知手段と、
前記振動検知手段により、当該リモコンの振動が検知された場合に、前記電子機器に有効ボタン情報の送信を要求する有効ボタン情報要求信号を送信する要求送信手段と、を備え、
前記電子機器は、
前記要求送信手段により送信された前記有効ボタン情報要求信号を受信する要求受信手段を備え、
前記抽出手段は、前記要求受信手段により前記有効ボタン情報要求信号を受信した際に、当該電子機器の動作状態に基づいて、前記有効ボタン情報を前記記憶手段から抽出することを特徴とする請求項２に記載のリモコンシステム。
【請求項４】
前記リモコンは、
前記振動検知手段により、当該リモコンの振動が検知されなくなってからの時間を計時する計時手段を備え、
前記点灯制御手段は、前記計時手段により計時された時間が所定時間以上となった場合に、前記操作ボタンを消灯させるように前記点灯部を制御することを特徴とする請求項３に記載のリモコンシステム。
【請求項５】
前記要求送信手段は、所定時間毎に前記電子機器に有効ボタン情報要求信号を送信し、
前記点灯制御手段は、前記電子機器から送信された有効ボタン情報が更新されているか否かを判断し、更新されていると判断した場合に、更新された有効ボタン情報に基づいて有効に機能する操作ボタンが点灯するように前記点灯部を制御することを特徴とする請求項３又は４に記載のリモコンシステム。
【発明の詳細な説明】
【技術分野】
【０００１】
本発明は、リモコンシステムに関する。
【背景技術】
【０００２】
近年、リモコンにより操作される被制御機器であるＤＶＤ記録再生装置や、テレビジョン放送受信装置等は、多機能となっており、当該被制御機器の動作状態の変化に伴って、リモコンの操作ボタンは有効であるものと有効でないものとが変化する。しかし、操作ボタンが有効であるか否かを瞬時には判断することが難しいため、ユーザは、間違えて有効でない操作ボタンを押下してしまうことがある。そこで、リモコンにリモコン用マイクロコンピュータを設け、当該リモコンにより遠隔操作される被制御機器から送信される当該被制御機器の状態データに基づいて、当該リモコン用マイクロコンピュータに有効な操作ボタンを判断させ、有効な操作ボタンのみを発光させるように構成したものが知られている（例えば、特許文献１）。
【特許文献１】特開平１１−３１７９８６号公報
【発明の開示】
【発明が解決しようとする課題】
【０００３】
しかしながら、リモコンにおいて、どの操作ボタンが有効かを判断させることとすると、高価なリモコン用マイクロコンピュータが必要となり、リモコン自体が高価となってしまうという問題がある。
【０００４】
本発明の課題は、より安価に、且つ、より容易に、有効な操作ボタンを判別できるリモコンシステムを提供することである。
【課題を解決するための手段】
【０００５】
請求項１に記載の発明は、電子機器と、前記電子機器を遠隔制御するリモコンと、を備えるリモコンシステムにおいて、
前記電子機器は、
当該電子機器の動作状態と、当該動作状態において前記リモコンに備えられた操作ボタンのうち有効に機能する操作ボタンに関する有効ボタン情報とを対応付けて記憶する記憶手段と、
当該電子機器の動作状態に基づいて、前記記憶手段から当該動作状態に対応する前記有効ボタン情報を抽出する抽出手段と、
前記抽出手段により抽出された有効ボタン情報を前記リモコンに送信する有効ボタン情報送信手段と、
を備え、
前記リモコンは、
前記操作ボタンを点灯させる点灯部と、
前記電子機器から送信される有効ボタン情報を受信する有効ボタン情報受信手段と、
前記有効ボタン情報受信手段により受信された有効ボタン情報に従って、有効に機能する操作ボタンが点灯するように前記点灯部を制御する点灯制御手段と、
当該リモコンの振動を検知する振動検知手段と、
前記振動検知手段により、当該リモコンの振動が検知された場合に、前記電子機器に有効ボタン情報の送信を要求する有効ボタン情報要求信号を送信する要求送信手段と、
前記振動検知手段により、当該リモコンの振動が検知されなくなってからの時間を計時する計時手段と、
を備え、
前記電子機器は、
前記要求送信手段により送信された前記有効ボタン情報要求信号を受信する要求受信手段を備え、
前記要求送信手段は、所定時間毎に前記電子機器に有効ボタン情報要求信号を送信し、
前記抽出手段は、前記要求受信手段により前記有効ボタン情報要求信号を受信した際に、当該電子機器の動作状態に基づいて、前記有効ボタン情報を前記記憶手段から抽出し、
前記点灯制御手段は、前記電子機器から送信された有効ボタン情報が更新されているか否かを判断し、更新されていると判断した場合に、更新された有効ボタン情報に基づいて有効に機能する操作ボタンが点灯するように前記点灯部を制御するとともに、前記計時手段により計時された時間が所定時間以上となった場合に、前記操作ボタンを消灯させるように前記点灯部を制御することを特徴としている。
【０００６】
請求項２に記載の発明は、電子機器と、前記電子機器を遠隔制御するリモコンと、を備えるリモコンシステムにおいて、
前記電子機器は、
当該電子機器の動作状態と、当該動作状態において前記リモコンに備えられた操作ボタンのうち有効に機能する操作ボタンに関する有効ボタン情報とを対応付けて記憶する記憶手段と、
当該電子機器の動作状態に基づいて、前記記憶手段から当該動作状態に対応する前記有効ボタン情報を抽出する抽出手段と、
前記抽出手段により抽出された有効ボタン情報を前記リモコンに送信する有効ボタン情報送信手段と、
を備え、
前記リモコンは、
前記操作ボタンを点灯させる点灯部と、
前記電子機器から送信される有効ボタン情報を受信する有効ボタン情報受信手段と、
前記有効ボタン情報受信手段により受信された有効ボタン情報に従って、有効に機能する操作ボタンが点灯するように前記点灯部を制御する点灯制御手段と、
を備えることを特徴としている。
【０００７】
請求項３に記載の発明は、請求項２に記載のリモコンシステムにおいて、
前記リモコンは、
当該リモコンの振動を検知する振動検知手段と、
前記振動検知手段により、当該リモコンの振動が検知された場合に、前記電子機器に有効ボタン情報の送信を要求する有効ボタン情報要求信号を送信する要求送信手段と、を備え、
前記電子機器は、
前記要求送信手段により送信された前記有効ボタン情報要求信号を受信する要求受信手段を備え、
前記抽出手段は、前記要求受信手段により前記有効ボタン情報要求信号を受信した際に、当該電子機器の動作状態に基づいて、前記有効ボタン情報を前記記憶手段から抽出することを特徴としている。
【０００８】
請求項４に記載の発明は、請求項３に記載のリモコンシステムにおいて、
前記リモコンは、
前記振動検知手段により、当該リモコンの振動が検知されなくなってからの時間を計時する計時手段を備え、
前記点灯制御手段は、前記計時手段により計時された時間が所定時間以上となった場合に、前記操作ボタンを消灯させるように前記点灯部を制御することを特徴としている。
【０００９】
請求項５に記載の発明は、請求項３又は４に記載のリモコンシステムにおいて、
前記要求送信手段は、所定時間毎に前記電子機器に有効ボタン情報要求信号を送信し、
前記点灯制御手段は、前記電子機器から送信された有効ボタン情報が更新されているか否かを判断し、更新されていると判断した場合に、更新された有効ボタン情報に基づいて有効に機能する操作ボタンが点灯するように前記点灯部を制御することを特徴としている。
【発明の効果】
【００１０】
請求項１に記載の発明によれば、電子機器において、記憶手段により、当該電子機器の動作状態と、当該動作状態においてリモコンに備えられた操作ボタンのうち有効に機能する操作ボタンに関する有効ボタン情報とが対応付けられて記憶され、抽出手段により、当該電子機器の動作状態に基づいて、記憶手段から当該動作状態に対応する有効ボタン情報が抽出され、有効ボタン情報送信手段により、抽出手段によって抽出された有効ボタン情報がリモコンに送信され、リモコンにおいて、点灯部により、操作ボタンが点灯され、有効ボタン情報受信手段により、電子機器から送信される有効ボタン情報が受信され、点灯制御手段により、有効ボタン情報受信手段によって受信された有効ボタン情報に従って、有効に機能する操作ボタンが点灯するように点灯部が制御されるので、リモコンにおいて、どの操作ボタンが有効かを判断せずとも有効に機能する操作ボタンを点灯させることができ、リモコンは、高価なリモコン用マイクロコンピュータを備えることなく、より安価に、且つ、より容易に、有効な操作ボタンを判別できるリモコンシステムを提供することができる。
【００１１】
また、リモコンにおいて、振動検知手段により、当該リモコンの振動が検知され、要求送信手段により、振動検知手段によって、当該リモコンの振動が検知された場合に、電子機器に有効ボタン情報の送信を要求する有効ボタン情報要求信号が送信され、電子機器において、要求受信手段により、要求送信手段によって送信された有効ボタン情報要求信号が受信され、抽出手段により、要求受信手段によって有効ボタン情報要求信号が受信された際に、当該電子機器の動作状態に基づいて、有効ボタン情報が記憶手段から抽出されるので、振動が検知されるとき、即ち、リモコンがユーザにより手にとられて操作されるときにのみリモコンの操作ボタンの点灯動作が行われるので、無駄に点灯動作されることがない。
【００１２】
また、リモコンにおいて、計時手段により、振動検知手段によって、当該リモコンの振動が検知されなくなってからの時間が計時され、点灯制御手段により、計時手段により計時された時間が所定時間以上となった場合に、操作ボタンが消灯されるように点灯部が制御されるので、振動が検知されなくなってから所定時間経過した場合、即ち、リモコンがユーザにより操作されなくなってから所定時間経過した場合には、操作ボタンが消灯されるので、無駄に操作ボタンが点灯されないこととなって、節電できる。
【００１３】
また、要求送信手段により、所定時間毎に電子機器に有効ボタン情報要求信号が送信され、点灯制御手段により、電子機器から送信された有効ボタン情報が更新されているか否かが判断され、更新されていると判断した場合に、更新された有効ボタン情報に基づいて有効に機能する操作ボタンが点灯するように点灯部が制御されるので、所定時間毎に、電子機器の動作状態を反映して、有効に機能する操作ボタンが点灯されることとなって、有効に機能する操作ボタンをより確実に点灯させることができる。
【００１４】
請求項２に記載の発明によれば、電子機器において、記憶手段により、当該電子機器の動作状態と、当該動作状態においてリモコンに備えられた操作ボタンのうち有効に機能する操作ボタンに関する有効ボタン情報とが対応付けられて記憶され、抽出手段により、当該電子機器の動作状態に基づいて、記憶手段から当該動作状態に対応する有効ボタン情報が抽出され、有効ボタン情報送信手段により、抽出手段によって抽出された有効ボタン情報がリモコンに送信され、リモコンにおいて、点灯部により、操作ボタンが点灯され、有効ボタン情報受信手段により、電子機器から送信される有効ボタン情報が受信され、点灯制御手段により、有効ボタン情報受信手段によって受信された有効ボタン情報に従って、有効に機能する操作ボタンが点灯するように点灯部が制御されるので、リモコンにおいて、どの操作ボタンが有効かを判断せずとも有効に機能する操作ボタンを点灯させることができ、リモコンは、高価なリモコン用マイクロコンピュータを備えることなく、より安価に、且つ、より容易に、有効な操作ボタンを判別できるリモコンシステムを提供することができる。
【００１５】
請求項３に記載の発明によれば、請求項２に記載の発明と同様の効果が得られることは勿論のこと、特に、リモコンにおいて、振動検知手段により、当該リモコンの振動が検知され、要求送信手段により、振動検知手段によって、当該リモコンの振動が検知された場合に、電子機器に有効ボタン情報の送信を要求する有効ボタン情報要求信号が送信され、電子機器において、要求受信手段により、要求送信手段によって送信された有効ボタン情報要求信号が受信され、抽出手段により、要求受信手段によって有効ボタン情報要求信号が受信された際に、当該電子機器の動作状態に基づいて、有効ボタン情報が記憶手段から抽出されるので、振動が検知されるとき、即ち、リモコンがユーザにより手にとられて操作されるときにのみリモコンの操作ボタンの点灯動作が行われるので、無駄に点灯動作されることがない。
【００１６】
請求項４に記載の発明によれば、請求項３に記載の発明と同様の効果が得られることは勿論のこと、特に、リモコンにおいて、計時手段により、振動検知手段によって、当該リモコンの振動が検知されなくなってからの時間が計時され、点灯制御手段により、計時手段により計時された時間が所定時間以上となった場合に、操作ボタンが消灯されるように点灯部が制御されるので、振動が検知されなくなってから所定時間経過した場合、即ち、リモコンがユーザにより操作されなくなってから所定時間経過した場合には、操作ボタンが消灯されるので、無駄に操作ボタンが点灯されないこととなって、節電できる。
【００１７】
請求項５に記載の発明によれば、請求項３又は４に記載の発明と同様の効果が得られることは勿論のこと、特に、要求送信手段により、所定時間毎に電子機器に有効ボタン情報要求信号が送信され、点灯制御手段により、電子機器から送信された有効ボタン情報が更新されているか否かが判断され、更新されていると判断した場合に、更新された有効ボタン情報に基づいて有効に機能する操作ボタンが点灯するように点灯部が制御されるので、所定時間毎に、電子機器の動作状態を反映して、有効に機能する操作ボタンが点灯されることとなって、有効に機能する操作ボタンをより確実に点灯させることができる。
【発明を実施するための最良の形態】
【００１８】
以下、図を参照して、本発明に係るリモコンシステムを実施するための最良の形態を詳細に説明する。
【００１９】
まず、本発明に係るリモコンシステム１００は、例えば、図１に示すように、ＤＶＤプレイヤ（電子機器）１、当該ＤＶＤプレイヤ１を遠隔制御するリモコン２等を備えて構成されている。
【００２０】
ＤＶＤプレイヤ１は、例えば、図１に示すように、再生部１１，表示部１２，音出力部１３，送信部１４，受信部１５，制御部１６等を備えて構成されている。
【００２１】
再生部１１は、例えば、光ピックアップ（図示省略），ＲＦアンプ（図示省略），モータ（図示省略），サーボ回路（図示省略），信号処理部（図示省略），トラックバッファ（図示省略），システムデコーダ（図示省略）等を備えて構成され、ＤＶＤに記録されている映像データ及び音声データを読み取り、復号処理等を行って、表示部１２，音出力部１３に出力する。
【００２２】
表示部１２は、例えば、ＬＣＤ（Liquid  Crystal  Display）等を備えて構成され、再生部１１から出力される映像データに基づく映像を表示する。
【００２３】
音出力部１３は、例えば、スピーカ等を備えて構成され、再生部１１から出力される音声データに基づく音声を出力する。
【００２４】
送信部１４は、例えば、赤外発光ダイオード（図示省略）等を備えて構成され、リモコン２へ各種信号を赤外線に変換して送信する。
【００２５】
受信部１５は、例えば、赤外線受信回路等を備えて構成され、リモコン２から送信される赤外線を受信して電気信号に変換する。また、受信部１５は、リモコン２から送信される有効ボタン情報要求信号（後述）を受信し、要求受信手段として機能する。
【００２６】
制御部１６は、例えば、ＣＰＵ（Central  Processing  Unit）１７，ＲＡＭ（Random  Access  Memory）１８，記憶部１９等を備えて構成されている。
【００２７】
ＣＰＵ１７は、例えば、記憶部１９に格納された処理プログラム等を読み出して、ＲＡＭ１８に展開して実行することにより、ＤＶＤプレイヤ１全体の制御を行う。
【００２８】
ＲＡＭ１８は、ＣＰＵ１７により実行された処理プログラム等を、ＲＡＭ１８内のプログラム格納領域に展開するとともに、入力データや上記処理プログラムが実行される際に生じる処理結果等をデータ格納領域に格納する。
【００２９】
記憶部１９は、例えば、プログラムやデータ等が予め記憶されている記録媒体（図示せず）を有しており、この記録媒体は、例えば、半導体メモリ等で構成されている。また、記憶部１９は、ＣＰＵ１７がＤＶＤプレイヤ１全体を制御する機能を実現させるための各種データ，各種処理プログラム，これらプログラムの実行により処理されたデータ等を記憶する。より具体的には、記憶部１９は、例えば、図１に示すように、ボタンデータファイル１９Ａ，抽出プログラム１９Ｂ，通知プログラム１９Ｃ等を格納している。
【００３０】
ボタンデータファイル１９Ａは、例えば、ＤＶＤプレイヤ１の動作状態と、当該動作状態においてリモコン２に備えられた操作ボタン２４１（後述）のうち有効に機能する操作ボタン２４１に関する有効ボタン情報とを対応付けて記憶している。例えば、ＤＶＤプレイヤ１にＤＶＤが挿入されていない動作状態では、再生ボタン等の操作ボタン２４１は有効ではなく、有効に機能する操作ボタン２４１は、例えば、電源ボタン等である。また、ＤＶＤ再生中であっても、ロゴ等が再生中である場合には、早送りボタン等の操作ボタン２４１は有効ではなく、有効に機能する操作ボタン２４１は、例えば、停止ボタン等である。記憶部１９は、かかるボタンデータファイル１９Ａを格納することにより、記憶手段として機能する。
【００３１】
抽出プログラム１９Ｂは、例えば、ＣＰＵ１７に、受信部１５によりリモコン２から送信される有効ボタン情報要求信号（後述）が受信された場合に、当該ＤＶＤプレイヤ１の動作状態に基づいて、ボタンデータファイル１９Ａを参照して、当該動作状態に対応する有効ボタン情報を抽出する機能を実現させるプログラムである。ＣＰＵ１７は、かかる抽出プログラム１９Ｂを実行することにより、抽出手段として機能する。
【００３２】
通知プログラム１９Ｃは、例えば、ＣＰＵ１７に、送信部１４を制御して、抽出プログラム１９Ｂを実行することによって抽出した有効ボタン情報をリモコン２に送信させる機能を実現させるプログラムである。ＣＰＵ１７は、かかる通知プログラム１９Ｃを実行することにより、送信部１４とともに有効ボタン情報送信手段として機能する。
【００３３】
リモコン２は、例えば、図１に示すように、受信部２１，送信部２２，振動検知部２３，ボタン部２４，計時部２５，制御部２６等を備えて構成されている。
【００３４】
受信部２１は、例えば、赤外線受信回路等を備えて構成され、ＤＶＤプレイヤ１から送信される赤外線を受信して電気信号に変換する。より具体的には、受信部２１は、ＤＶＤプレイヤ１から送信される有効ボタン情報を受信し、有効ボタン情報受信手段として機能する。
【００３５】
送信部２２は、例えば、赤外発光ダイオード（図示省略）等を備えて構成され、ＤＶＤプレイヤ１へ各種信号を赤外線に変換して送信する。
【００３６】
振動検知部２３は、例えば、加速度センサ（図示省略）等を備えて構成され、リモコン２がユーザにより持ち上げられる際の振動を検知して、検知した検知信号を制御部２６に出力する。かかる振動検知部２３は、振動検知手段として機能する。
【００３７】
ボタン部２４は、例えば、複数の操作ボタン２４１，点灯部２４２等を備えて構成される。
操作ボタン２４１は、電源ボタン（図示省略）、数字ボタン（図示省略）、矢印ボタン（図示省略）、及び、再生ボタン，早送りボタン，巻き戻しボタン，停止ボタン等の機能ボタン（図示省略）等を含み、ユーザによって押下されることにより、各種の操作信号を制御部２６に出力する。また、操作ボタン２４１は、例えば、透明な素材により形成されており、点灯部２４２のＬＥＤランプ（後述）の点灯が当該操作ボタン２４１の上から視認可能となっている。
点灯部２４２は、例えば、ＬＥＤランプ（図示省略）を備えて構成され、ＬＥＤランプは各操作ボタン２４１の下に備えられ、点灯時に当該ＬＥＤの光が操作ボタン２４１の上から視認可能となるように構成されている。そして、点灯部２４２のＬＥＤランプが点灯すると操作ボタン２４１が点灯するようになっている。
【００３８】
計時部２５は、例えば、計時回路（図示省略）等を備えて構成され、制御部２６により制御されて、振動検知部２３によりリモコン２の振動が検知されなくなってからの時間を計時する。
【００３９】
制御部２６は、例えば、ＣＰＵ２７，ＲＡＭ２８，記憶部２９等を備えて構成されている。
【００４０】
ＣＰＵ２７は、例えば、記憶部２９に格納された処理プログラム等を読み出して、ＲＡＭ２８に展開して実行することにより、リモコン２全体の制御を行う。
【００４１】
ＲＡＭ２８は、ＣＰＵ２７により実行された処理プログラム等を、ＲＡＭ２８内のプログラム格納領域に展開するとともに、入力データや上記処理プログラムが実行される際に生じる処理結果等をデータ格納領域に格納する。
【００４２】
記憶部２９は、例えば、プログラムやデータ等が予め記憶されている記録媒体（図示せず）を有しており、この記録媒体は、例えば、半導体メモリ等で構成されている。また、記憶部２９は、ＣＰＵ２７がリモコン２全体を制御する機能を実現させるための各種データ，各種処理プログラム，これらプログラムの実行により処理されたデータ等を記憶する。より具体的には、記憶部２９は、例えば、図１に示すように、要求プログラム２９Ａ，計時プログラム２９Ｂ，点灯制御プログラム２９Ｃ等を格納している。
【００４３】
要求プログラム２９Ａは、例えば、ＣＰＵ２７に、振動検知部２３により、リモコン２の振動が検知された場合に、送信部２２を制御して、ＤＶＤプレイヤ１に有効ボタン情報の送信を要求する有効ボタン情報要求信号を送信させる機能を実現させるプログラムである。
より具体的には、要求プログラム２９Ａは、振動検知部２３により、リモコン２の振動が検知された場合に、前回有効ボタン情報要求信号を送信してから所定時間（例えば、１秒）経過したか否かを判断し、所定時間が経過したと判断した場合に、送信部２２を制御して、ＤＶＤプレイヤ１に有効ボタン情報要求信号を送信させる機能を実現させるプログラムである。
ＣＰＵ２７は、かかる要求プログラム２９Ａを実行することにより、送信部２２とともに、要求送信手段として機能する。
【００４４】
計時プログラム２９Ｂは、例えば、ＣＰＵ２７に、計時部２５を制御して、振動検知部２３によりリモコン２の振動が検知されなくなってからの時間を計時させる機能を実現させるプログラムである。ＣＰＵ２７は、かかる計時プログラム２９Ｂを実行することにより、計時部２５とともに、計時手段として機能する。
【００４５】
点灯制御プログラム２９Ｃは、例えば、ＣＰＵ２７に、受信部２１により受信された有効ボタン情報に従って、有効に機能する操作ボタン２４１が点灯するように点灯部２４２を制御する機能を実現させるプログラムである。
より具体的には、点灯制御プログラム２９Ｃは、例えば、ＣＰＵ２７に、ＤＶＤプレイヤ１から送信された有効ボタン情報が更新されているか否かを判断し、更新されていると判断した場合に、更新された有効ボタン情報に基づいて有効に機能する操作ボタン２４１が点灯するように点灯部２４２を制御するとともに、計時プログラム２９Ｂを実行することにより計時した時間が所定時間（例えば、１０秒）以上となった場合に、操作ボタン２４１を消灯させるように点灯部２４２を制御する機能を実現させるプログラムである。
ＣＰＵ２７は、かかる点灯制御プログラム２９Ｃを実行することにより点灯制御手段として機能する。
【００４６】
次に、上述のような構成の本実施形態に係るリモコンシステム１００における点灯動作について図２に示すフローチャートを参照しながら説明する。
まず、リモコン２の振動検知部２３によりリモコン２の振動が検知されると、ＣＰＵ２７は、要求プログラム２９Ａを実行することにより、送信部２２を制御して、ＤＶＤプレイヤ１に有効ボタン情報の送信を要求する有効ボタン情報要求信号を送信させる（ステップＳ１）。
【００４７】
次に、ＤＶＤプレイヤ１が、リモコン２から送信される有効ボタン情報要求信号を受信すると（ステップＳ２）、ＣＰＵ１７は、抽出プログラム１９Ｂを実行することにより、当該ＤＶＤプレイヤ１の動作状態に基づいて、ボタンデータファイル１９Ａを参照して、当該動作状態に対応する有効ボタン情報を抽出し、次いで、通知プログラム１９Ｃを実行することにより、送信部１４を制御して、抽出プログラム１９Ｂを実行することによって抽出した有効ボタン情報をリモコン２に送信させる（ステップＳ３）。
具体的には、例えば、ＤＶＤプレイヤ１にＤＶＤが挿入されていない動作状態では、電源ボタンが有効であるという有効ボタン情報が抽出される。また、例えば、ＤＶＤ再生中であっても、ロゴ等が再生中である動作状態では、停止ボタンが有効であるという有効ボタン情報が抽出される。
【００４８】
次に、リモコン２が、ＤＶＤプレイヤ１から送信される有効ボタン情報を受信すると（ステップＳ４）、ＣＰＵ２７は、点灯制御プログラム２９Ｃを実行することにより、ＤＶＤプレイヤ１から送信された有効ボタン情報が更新されているか否かを判断する（ステップＳ５）。
【００４９】
ステップＳ５において、ＣＰＵ２７が、有効ボタン情報が更新されていないと判断した場合には（ステップＳ５；Ｎｏ）、ステップＳ７へ進む。
ステップＳ５において、ＣＰＵ２７が、有効ボタン情報が更新されていると判断した場合には（ステップＳ５；Ｙｅｓ）、当該有効ボタン情報に基づく有効に機能する操作ボタン２４１が点灯するように点灯部２４２を制御する（ステップＳ６）。
【００５０】
次に、ＣＰＵ２７は、点灯制御プログラム２９Ｃの実行に伴って、計時プログラム２９Ｂを実行することにより計時した時間が所定時間（例えば、１０秒）以上となったか否か、即ち、振動検知部２３により振動が検知されなくなってから所定時間（例えば、１０秒）以上経過したか否かを判断する（ステップＳ７）。
【００５１】
ステップＳ７において、ＣＰＵ２７が、振動検知部２３により振動が検知されなくなってから所定時間（例えば、１０秒）以上経過していないと判断した場合には（ステップＳ７；Ｎｏ）、ＣＰＵ２７は、要求プログラム２９Ａを実行することにより、前回有効ボタン情報要求信号を送信してから所定時間（例えば、１秒）経過したか否かを判断する（ステップＳ８）。
【００５２】
ステップＳ８において、ＣＰＵ２７が、前回有効ボタン情報要求信号を送信してから所定時間（例えば、１秒）経過していないと判断した場合には（ステップＳ８；Ｎｏ）、ステップＳ８の処理を繰り返す。
ステップＳ８において、ＣＰＵ２７が、前回有効ボタン情報要求信号を送信してから所定時間（例えば、１秒）経過したと判断した場合には（ステップＳ８；Ｙｅｓ）、ステップＳ２へ戻る。
【００５３】
ステップＳ７において、ＣＰＵ２７が、振動検知部２３により振動が検知されなくなってから所定時間（例えば、１０秒）以上経過したと判断した場合には（ステップＳ７；Ｙｅｓ）、ＣＰＵ２７は、点灯制御プログラム２９Ｃの実行に基づいて、操作ボタン２４１を消灯させるように点灯部２４２を制御する（ステップＳ９）。
【００５４】
以上に説明した本実施形態に係るリモコンシステム１００によれば、ＤＶＤプレイヤ１において、ボタンデータファイル１９Ａにより、当該ＤＶＤプレイヤ１の動作状態と、当該動作状態においてリモコン２に備えられた操作ボタン２４１のうち有効に機能する操作ボタン２４１に関する有効ボタン情報とが対応付けられて記憶され、ＣＰＵ１７が抽出プログラム１９Ｂを実行することにより、当該ＤＶＤプレイヤ１の動作状態に基づいて、ボタンデータファイル１９Ａから当該動作状態に対応する有効ボタン情報が抽出され、ＣＰＵ１７が通知プログラム１９Ｃを実行することにより、送信部１４が制御されて、抽出プログラム１９Ｂを実行することによって抽出した有効ボタン情報がリモコン２に送信され、リモコン２において、点灯部２４２により、操作ボタン２４１が点灯され、受信部２１により、ＤＶＤプレイヤ１から送信される有効ボタン情報が受信され、ＣＰＵ２７が点灯制御プログラム２９Ｃを実行することにより、受信部２１によって受信された有効ボタン情報に従って、有効に機能する操作ボタン２４１が点灯するように点灯部２４２が制御されるので、リモコン２において、どの操作ボタン２４１が有効かを判断せずとも有効に機能する操作ボタン２４１を点灯させることができ、リモコン２は、高価なリモコン用マイクロコンピュータを備えることなく、より安価に、且つ、より容易に、有効な操作ボタン２４１を判別できるリモコンシステム１００を提供することができる。
【００５５】
また、リモコン２において、振動検知部２３により、当該リモコン２の振動が検知され、ＣＰＵ２７が要求プログラム２９Ａを実行することにより、送信部２２が制御されて、振動検知部２３によって、当該リモコン２の振動が検知された場合に、ＤＶＤプレイヤ１に有効ボタン情報の送信を要求する有効ボタン情報要求信号が送信され、ＤＶＤプレイヤ１において、受信部１５により、リモコン２から送信された有効ボタン情報要求信号が受信され、ＣＰＵ１７が抽出プログラム１９Ｂを実行することにより、受信部１５によって有効ボタン情報要求信号が受信された際に、当該ＤＶＤプレイヤ１の動作状態に基づいて、有効ボタン情報がボタンデータファイル１９Ａから抽出されるので、振動が検知されるとき、即ち、リモコン２がユーザにより手にとられて操作されるときにのみリモコン２の操作ボタン２４１の点灯動作が行われるので、無駄に点灯動作されることがない。
【００５６】
また、リモコン２において、ＣＰＵ２７が計時プログラム２９Ｂを実行することにより、振動検知部２３によって、当該リモコン２の振動が検知されなくなってからの時間が計時され、ＣＰＵ２７が点灯制御プログラム２９Ｃを実行することにより、計時プログラム２９Ｂを実行することにより計時された時間が所定時間（例えば、１０秒）以上となった場合に、操作ボタン２４１が消灯されるように点灯部２４２が制御されるので、振動が検知されなくなってから所定時間（例えば、１０秒）経過した場合、即ち、リモコン２がユーザにより操作されなくなってから所定時間（例えば、１０秒）経過した場合には、操作ボタン２４１が消灯されるので、無駄に操作ボタン２４１が点灯されないこととなって、節電できる。
【００５７】
また、ＣＰＵ２７が要求プログラム２９Ａを実行することにより、所定時間（例えば、１秒）毎にＤＶＤプレイヤ１に有効ボタン情報要求信号が送信され、ＣＰＵ２７が点灯制御プログラム２９Ｃを実行することにより、ＤＶＤプレイヤ１から送信された有効ボタン情報が更新されているか否かが判断され、更新されていると判断した場合に、更新された有効ボタン情報に基づいて有効に機能する操作ボタン２４１が点灯するように点灯部２４２が制御されるので、所定時間（例えば、１秒）毎に、ＤＶＤプレイヤ１の動作状態を反映して、有効に機能する操作ボタン２４１が点灯されることとなって、有効に機能する操作ボタン２４１をより確実に点灯させることができる。
【００５８】
なお、電子機器としてＤＶＤプレイヤ１を例示したが、リモコン２により操作される電子機器であればなんであってもよく、例えば、テレビジョン放送受信装置等であってもよい。
また、本実施形態では、有効に機能する操作ボタン２４１の全てが点灯されることとしたが、有効に機能する操作ボタン２４１のうち、再生ボタン，早送りボタン，巻き戻しボタン等の機能ボタンに属する操作ボタン２４１が点灯されることとしてもよい。
【図面の簡単な説明】
【００５９】
【図１】本発明に係るリモコンシステムの構成の一例を示すブロック図である。
【図２】本発明に係るリモコンシステムにおける点灯動作の一例を説明するフローチャートである。
【符号の説明】
【００６０】
１  ＤＶＤプレイヤ（電子機器）
１４  送信部（有効ボタン情報送信手段）
１５  受信部（要求受信手段）
１７  ＣＰＵ（抽出手段，有効ボタン情報送信手段）
１９  記憶部（記憶手段）
１９Ａ  ボタンデータファイル（記憶手段）
１９Ｂ  抽出プログラム（抽出手段）
１９Ｃ  通知プログラム（有効ボタン情報送信手段）
２  リモコン
２１  受信部（有効ボタン情報受信手段）
２２  送信部（要求送信手段）
２３  振動検出部（振動検出手段）
２４１  操作ボタン
２４２  点灯部
２５  計時部（計時手段）
２７  ＣＰＵ（点灯制御手段，要求送信手段，計時手段）
２９Ａ  要求プログラム（要求送信手段）
２９Ｂ  計時プログラム（計時手段）
２９Ｃ  点灯制御プログラム（点灯制御手段）
１００  リモコンシステム
【図１】
2008167005.tif 000003
【図２】
2008167005.tif 000004